(57)【特許請求の範囲】
【請求項１】
警戒エリアの異常を検出したときに、異常警報を出力すると共に異常を示すイベント信号を無線送信し、前記異常を示すイベント信号を無線受信したときに、異常警報を出力する１又は複数の警報装置と、
給湯を制御する制御装置と、
制御信号を有線送信して前記制御装置を遠隔制御すると共に、前記異常を示すイベント信号を無線受信したときに、異常警報を出力し、前記異常警報の出力中に警報停止の操作を検出したときに、異常警報を停止すると共に警報停止を示すイベント信号を無線送信するリモコン装置と、
を備え、
前記警報装置は、前記異常警報の出力中に前記警報停止を示すイベント信号を無線受信したときに、異常警報を停止することを特徴とする防災システム。
【請求項２】
請求項１記載の防災システムに於いて、
ＦＭ放送による緊急地震速報信号を検出したときに、緊急地震速報を出力すると共に緊急地震速報を示すイベント信号を無線送信する緊急地震速報装置を備え、
前記警報装置及びリモコン装置は、前記緊急地震速報を示すイベント信号を無線受信したときに、緊急地震速報を出力することを特徴とする防災システム。
【請求項３】
請求項１又は２記載の防災システムに於いて、前記リモコン装置は、
浴室外に設置され、イベント信号を無線受信可能な１又は複数の外部リモコン装置と、
浴室内に設置され、前記外部リモコン装置が無線受信したイベント信号を有線受信する浴室リモコン装置と、
を設けたことを特徴とする防災システム。
【請求項４】
請求項３記載の防災システムに於いて、
前記浴室リモコン装置は、呼び出し操作を検出したときに、呼出信号を有線送信し、
前記外部リモコン装置は、前記呼出信号を有線受信したときに、呼び出しを示すイベント信号を無線送信し、
前記警報装置は、前記呼び出しを示すイベント信号を無線受信したときに、呼出音又は呼出メッセージを出力する
ことを特徴とする防災システム。
【請求項５】
請求項３記載の防災システムに於いて、
前記浴室リモコン装置は、警報停止の操作を検出したときに、警報停止信号を有線送信し、
前記外部リモコン装置は、前記警報停止信号を有線受信したときに、警報停止を示すイベント信号を無線送信する
ことを特徴とする防災システム。
【請求項６】
請求項３記載の防災システムに於いて、
前記外部リモコン装置は、無線受信した異常を示すイベント信号を前記浴室リモコン装置へ有線送信し、
前記浴室リモコン装置は、異常を示すイベント信号を有線受信したときに、異常を示す音声メッセージを出力する
ことを特徴とする防災システム。
【請求項７】
請求項６記載の防災システムに於いて、
前記外部リモコン装置は、無線受信した警報停止を示すイベント信号を前記浴室リモコン装置へ有線送信し、
前記浴室リモコン装置は、警報停止を示すイベント信号を有線受信したときに、異常を示す音声メッセージを停止する
ことを特徴とする防災システム。
【発明の詳細な説明】
【技術分野】
【０００１】
本発明は、浴室の給湯を制御するリモコン装置に火災やガス漏れなどの異常を検出して警報する警報装置を連携させた防災システムに関する。
【背景技術】
【０００２】
従来、給湯設備から浴室に湯を供給する浴室システムが知られている。浴室システムは、台所などの浴室外部に設置される外部リモコン装置と浴室内に設置される浴室リモコン装置を制御装置に信号線接続し、外部リモコン装置又は浴室リモコン装置の遠隔操作に基づき制御装置により給湯器を制御するようにしている。
【０００３】
また外部リモコン装置や浴室リモコン装置に呼び出し機能を設け、一方から他方を呼び出したり、インターホン通話ができるようにした浴室設備も知られている。
【０００４】
一方、住宅における火災やガス漏れなどの異常を検出して警報する警報器が普及している。このうち、住宅用災警報器を住警器と言う。
【０００５】
このような住警器にあっては、住警器内にセンサ部と警報部を一体に備え、センサ部で火災を検出すると警報部から音声メッセージなどにより火災警報を出すようにしており、専用の受信設備等を必要とせず住警器単体で火災監視と警報ができることから、設置が簡単でコスト的にも安価であり、一般住宅での設置義務化に伴い広く普及している。
【０００６】
一方、複数の住警器間で例えば無線通信を行うことによって、任意の住警器で火災警報が行われると、他の住警器でも連動して警報を行う、連動型の住警器システムも提案されている。
【０００７】
このような連動型の住警器システムでは、住警器で火災を検出した場合には、火災を検出した連動元の住警器は、例えば「ウーウー火災警報器が作動しました  確認してください」との音声メッセージを出力するようにしている。住警器で警報が行われた場合、住警器に設けている警報停止スイッチを操作すると、警報を停止するようにしている。
【０００８】
また、緊急地震速報を受信して警報する緊急地震速報受信装置が知られている。
【先行技術文献】
【特許文献】
【０００９】
【特許文献１】特開２００２−２５０５５９号公報
【特許文献２】特開２００７−３２２１１３号公報
【特許文献３】特開２００７−０９４７１９号公報
【特許文献４】実用新案登録第３１５４５７９号公報
【特許文献５】特開２００９−２４４９３７号公報
【発明の概要】
【発明が解決しようとする課題】
【００１０】
しかしながら、このような従来の連動型の住警器システムを設置した住宅にあっては、住警器で火災を検出して異常警報を出した場合、浴室に住警器は設置していないことから入浴中の居住者は火災警報を聞き取りにくく、火災に気付いて対処したり避難するまでに時間がかかってしまう問題がある。
【００１１】
同様に、緊急地震速報受信警報装置（以下、「緊急地震速報装置」という）が設置された住宅においても、例えば入浴中には警報が聞き取りにくく、対処や避難が遅れる可能性がある。
【００１２】
また、他の居住者が台所におらず他の部屋等に居る場合に、浴室リモコン装置から台所等の外部リモコン装置へ呼び出しを行っても、呼び出されたことに気づきにくいという問題がある。
【００１３】
本発明は、連動型の警報装置と浴室リモコン装置を連携させることにより、火災や地震などの異常警報を浴室内にも報知して迅速に対応可能とする防災システムを提供することを目的とする。
【００１４】
また、本発明は、連動型の警報装置と浴室リモコン装置を連携させることにより、浴室リモコン装置からの呼び出し信号を受けた警報装置から呼び出し出力させることで、外部リモコン装置が設置されていない場所であっても、呼び出されたことに気づきやすくする防災システムを提供することを目的とする。
【課題を解決するための手段】
【００１５】
本発明は、防災システムに於いて、
警戒エリアの異常を検出したときに、異常警報を出力すると共に異常を示すイベント信号を無線送信し、異常を示すイベント信号を無線受信したときに、異常警報を出力する１又は複数の警報装置と、
給湯を制御する制御装置と、
制御信号を有線送信して制御装置を遠隔制御すると共に、異常を示すイベント信号を無線受信したときに、異常警報を出力し、異常警報の出力中に警報停止の操作を検出したときに、異常警報を停止すると共に警報停止を示すイベント信号を無線送信するリモコン装置と、
を備え、
警報装置は、異常警報の出力中に警報停止を示すイベント信号を無線受信したときに、異常警報を停止することを特徴とする。
【００１６】
また、本発明の防災システムは、
ＦＭ放送による緊急地震速報信号を検出したときに、緊急地震速報を出力すると共に緊急地震速報を示すイベント信号を無線送信する緊急地震速報装置を備え、
警報装置及びリモコン装置は、緊急地震速報を示すイベント信号を無線受信したときに、緊急地震速報を出力する。
【００１７】
ここで、リモコン装置は、
浴室外に設置され、イベント信号を無線受信可能な１又は複数の外部リモコン装置と、
浴室内に設置され、外部リモコン装置が無線受信したイベント信号を有線受信する浴室リモコン装置と、
を設ける。
【００１８】
浴室リモコン装置は、呼び出し操作を検出したときに、呼出信号を有線送信し、
外部リモコン装置は、呼出信号を有線受信したときに、呼び出しを示すイベント信号を無線送信し、
警報装置は、呼び出しを示すイベント信号を無線受信したときに、呼出音又は呼出メッセージを出力する。
【００１９】
ここで、浴室リモコン装置は、警報停止の操作を検出したときに、警報停止信号を有線送信し、
外部リモコン装置は、警報停止信号を有線受信したときに、警報停止を示すイベント信号を無線送信する。
【００２０】
また、外部リモコン装置は、無線受信した異常を示すイベント信号を浴室リモコン装置へ有線送信し、
浴室リモコン装置は、異常を示すイベント信号を有線受信したときに、異常を示す音声メッセージを出力する。
【００２１】
外部リモコン装置は、無線受信した警報停止を示すイベント信号を浴室リモコン装置へ有線送信し、
浴室リモコン装置は、警報停止を示すイベント信号を有線受信したときに、異常を示す音声メッセージを停止する。
【発明の効果】
【００２８】
本発明によれば、連動型の警報装置で火災などの異常を検出して送信された異常を示すイベント信号が台所などに設置した外部リモコン装置で受信されて浴室リモコン装置に伝送されるか、浴室リモコン装置で直接受信されることにより、浴室リモコン装置から異常を示す警報メッセージが出力され、入浴中であっても火災などの異常発生を迅速かつ確実に知って対応措置や避難行動を適切にとることができる。
【００２９】
また浴室リモコン装置から外部リモコン装置に対しインターホン呼出を行うと、外部リモコン装置からインターホン呼出を示すイベント信号が警報装置に送信され、各部屋に設置している警報装置からもインターホン呼出が行われ、外部リモコン装置から離れた場所に居ても浴室からの呼出を知って、例えば外部リモコン装置に戻ってインターホン通話を行うことができる。
【００３０】
また緊急地震速報装置に警報装置及び浴室リモコン装置を連携させることで、ＦＭ放送による緊急地震速報を自動的に検出してイベント信号を送信することで、浴室リモコン装置から緊急地震速報を示す音声メッセージを流すことができ、入浴中であっても地震発生を知って適切に対応することができる。このとき、警報装置からも緊急地震速報に伴う警報が出力されるので、浴室以外の、緊急地震速報装置から離れた場所に居ても地震発生を知って適切に対応することができる。
【図面の簡単な説明】
【００３１】
【図１】浴室設備のリモコン装置と無線連動型の住警器システムと連携した本発明による防災システムの実施形態を示した説明図
【図２】図１に設けた無線式の住警器の外観を示した説明図
【図３】図１の防災システムに設けた住警器、外部リモコン装置及び浴室リモコン装置の実施形態を示したブロック図
【図４】本実施形態で使用するイベント信号のフォーマットを示した説明図
【図５】図３の住警器による監視処理を示したフローチャート
【図６】図５に続く住警器の監視処理を示したフローチャート
【図７】図３の外部リモコン装置による処理を示したフローチャート
【図８】図３の浴室リモコン装置による処理を示したフローチャート
【図９】サブリモコン装置を追加設置した本発明による防災システムの他の実施形態を示した説明図
【図１０】浴室リモコン装置で住警器からのイベント信号を直接受信して異常警報を報知する本発明による防災システムの他の実施形態を示した説明図
【図１１】緊急地震速報装置及び無線連動型の住警器システムと連携した本発明による防災システムの他の実施形態を示した説明図
【図１２】図１１の防災システムに設けた緊急地震速報装置の実施形態を示したブロック図
【図１３】図１２の緊急地震速報装置による処理を示したフローチャート
【図１４】緊急地震速報装置のみを連携させた本発明による防災システムの他の実施形態を示した説明図
【発明を実施するための形態】
【００３２】
図１は住宅に対する本発明による防災システムの設置状態を示した説明図である。図１の例にあっては、浴室設備として、住宅２４の台所に外部リモコン装置１１が設置され、また浴室内には浴室リモコン装置１２が設置される。外部リモコン装置１１と浴室リモコン装置１２は信号線１５によりコントローラ（制御装置）１３に接続される。また、給湯器１４は図示しないガス供給設備に接続されている。コントローラ１３は外部リモコン装置１１又は浴室リモコン装置１２の遠隔操作に基づき浴室に湯を供給する給湯器１４を制御する。同じ操作と制御により、給湯器１４からは、浴室だけでなく台所や洗面所にも給湯出来るようになっている。
【００３３】
このような浴室設備による基本的な機能としては、給湯器１４から供給された湯を設定水位まで浴槽に張る自動湯張り機能、湯張り後に設定湯温まで沸き上げる自動沸上機能、湯温を設定時間に亘り設定温度に保持する保温運転などがあり、更に必要に応じて各機能の設定を変更することができる。
【００３４】
また外部リモコン装置１１と浴室リモコン装置１２には機能の設定状況や稼働状況を音声により報知する音声報知機能、外部リモコン装置１１と浴室リモコン装置１２の間でインターホンによる呼出通話を行うインターホン機能なども補助機能として設けられている。
【００３５】
一方、住宅２４の台所、居間、子供部屋、階段室、主寝室のそれぞれには警報装置として、火災を検出して警報する無線式の住警器（住宅用火災警報器）住警器１０−１〜１０−６が設置されている。
【００３６】
住警器１０−１〜１０−６は、イベント信号を無線により相互に送受信する機能を備え、住宅全体の火災監視を行っている。いま住宅２４の例えば寝室で万一、火災が発生したとすると、住警器１０−６が火災を検出して警報を開始する。この火災を検出して警報を開始することを、住警器における「発報」という。住警器１０−６が発報するとき、住警器１０−６は連動元として機能し、連動先となる他の住警器１０−１〜１０−５に対し、火災発生を示すイベント信号を無線により送信する。他の住警器１０−１〜１０−５は、連動元の住警器１０−６からの火災発生を示すイベント信号を受信した場合に、警報音と警報表示により連動先としての警報動作を行う。
【００３７】
ここで連動元となった住警器１０−６の警報音としては、例えば音声メッセージにより「ウーウー  火災警報器が作動しました  確認してください」を出力する。一方、連動先の住警器１０−１〜１０−５にあっては、「ウーウー  別の火災警報器が作動しました  確認してください」といった音声メッセージを出力する。
【００３８】
また連動元となった住警器１０−６の警報に伴う表示（警報表示）としては、例えばＬＥＤ２２（後述）を点灯させる。一方、連動先の住警器１０−１〜１０−５にあっては、ＬＥＤ２２を点滅させる。これによって、連動元警報と連動先警報におけるＬＥＤ２２による警報表示を区別できるようにしている。
【００３９】
なお、連動元のＬＥＤ２２を点滅とし、連動先のＬＥＤ２２を点灯としても良いし、連動元警報と連動先警報のいずれについても、同じＬＥＤ２２の明滅または点滅、点灯表示であっても良い。また例えば赤色ＬＥＤと黄色ＬＥＤを設け、連動元は赤色ＬＥＤを駆動し、連動先は黄色ＬＥＤを駆動するといった２色表示としても良い。もちろん、２つのＬＥＤを一体として、赤色と黄色の両方を発光可能な２色ＬＥＤが採用できる。
【００４０】
住警器１０−１〜１０−６が警報音を出している状態で、警報停止スイッチ２０（後述）を操作すると、警報音及び警報表示の停止処理が行われる。
【００４１】
このとき例えば、連動元である住警器１０−６で警報停止操作が行われた場合には、全ての住警器１０−１〜１０−６の警報を停止し、連動先である住警器１０−１〜１０−５のいずれかで警報停止操作が行われた場合には、住警器１０−６の警報は停止せず、住警器１０−１〜１０−５の警報を停止するようにする。
【００４２】
本実施形態にあっては、浴室設備と住警器１０−１〜１０−６との連携をとるため、外部リモコン装置１１に住警器１０−１〜１０−６からのイベント信号を、アンテナ１１ａを備えた無線通信部７８（後述）により無線受信し、火災を示すイベント信号受信を検出した時に警報を出力する警報出力機能と、浴室リモコン装置に火災を示すイベント信号を送信する警報中継機能を設ける。
【００４３】
また外部リモコン装置１１の警報中継機能に対応して浴室リモコン装置１２に、少なくとも、外部リモコン装置１１からの火災を示すイベント信号受信を検出した時に火災警報を報知する異常警報機能を設ける。浴室リモコン装置１２による火災警報は例えば「ウーウー  火災警報器が作動しました  確認してください」といった音声メッセージを出力する。
【００４４】
また外部リモコン装置１１は警報器１０−１〜１０−６から火災復旧又は警報停止を示すイベント信号受信を検出した時には火災復旧又は警報停止を示すイベント信号を浴室リモコン装置１２に送信し、火災警報を停止させる。勿論、火災警報は外部リモコン装置１１や浴室リモコン装置１２の操作によっても停止できる。
【００４５】
また本実施形態にあっては、浴室リモコン装置１２から外部リモコン装置１１に対し入浴者による通話呼出があった場合、外部リモコン装置１１からインターホン通話呼出を示すイベント信号を住警器１０−１〜１０−６に無線送信し、住警器１０−１〜１０−６に設けた音声警報機能を利用してインターホン通話呼出を報知することができる。これによって台所以外の部屋にいた場合でも、浴室からのインターホン呼出を知り、台所に戻って外部リモコン装置１１から、若しくは直接浴室へ出向いて必要な対応が可能となる。
【００４６】
図２は本発明による無線式の住警器の外観を示した説明図であり、図２（Ａ）に正面図を、図２（Ｂ）に側面図を示している。
【００４７】
図２において、本実施形態の住警器１０の筐体はカバー１６と本体１７で構成されている。カバー１６の中央には、周囲に複数の煙流入口を開口し、その内部には検煙部１８が配置され、火災による煙が所定濃度に達したときに火災を検出するようにしている。
【００４８】
住警器１０を壁面に設置した状態に於けるカバー１６の左下側には音響孔１９が設けられ、この背後にブザーやスピーカを内蔵し、警報音や音声メッセージを出力できるようにしている。またカバー１６のほぼ真下側には警報停止スイッチ２０が設けられている。
【００４９】
警報停止スイッチ２０は住警器の機能点検を指示する点検スイッチとしての機能を兼ねている。たとえば、火災警報時に警報停止スイッチ２０が操作されると警報を停止し、通常状態で警報停止スイッチ２０が操作されると所定の機能点検（自己点検）を実施して結果を報知する。
【００５０】
警報停止スイッチ２０は、半透明部材で形成されたスイッチカバーと、スイッチカバーの内部に配置されたタクトスイッチ（図示せず）とで構成されている。スイッチカバー内部のタクトスイッチ近傍には、点線で示すように警報表示を行うＬＥＤ２２が配置されており、ＬＥＤ２２が点灯、点滅、明滅すると、警報停止スイッチ２０のスイッチカバーの部分を透過してＬＥＤ２２の作動状態が外部から分かるようにしている。
【００５１】
また本体１７の裏側上部には略中央部に挿通孔を有する取付フック２１が設けられており、設置する部屋の壁にビスなどをねじ込み、この取付フック２１の挿通孔をビスに通すことで、壁面に住警器１０を固定設置することができる。
【００５２】
なお図１の住警器１０にあっては、検煙部１８を備え、火災による煙を検出する住警器を例に取っているが、これ以外に火災による熱を検出するサーミスタ等の温度検出素子を備えた住警器や火災に伴うその他の物理現象を検出する住警器、火災以外にガス漏れを検出する警報器、侵入者や地震その他の異常を検出する各種の警報器、これらを組み合わせて成る警報器についても、本発明の対象に含まれる。
【００５３】
図３は図１の警報システムに設けた住警器、外部リモコン装置１１及び浴室リモコン装置１２の実施形態を示したブロック図であり、住警器は台所に設置した住警器１０−１について示しているが、他の住警器１０−２〜１０−６についても同様の構成となる。
【００５４】
住警器１０−１はワンチップＣＰＵとして知られたプロセッサ２８を備え、プロセッサ２８に対してはアンテナ３１を備えた無線通信部３０、メモリ３２、センサ部３４、報知部３６、操作部３８を設け、電池電源４０からこれら各部へ電源を供給している。
【００５５】
無線通信部３０には送信回路４２と受信回路４４が設けられ、他の住警器１０−２〜１０−６及び外部リモコン装置１１との間でイベント信号を無線により送受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００５６】
もちろん無線通信部３０としては、日本国内以外の場所については、その地域の割当無線局の標準規格に準拠した内容を持つことになる。
【００５７】
記憶部としてのメモリ３２には、イベント信号の順番を示す連続番号である連番４８、各住警器を特定するＩＤ（識別子）となる送信元符号５０、図１のように住宅に設置した住警器１０−１〜１０−６で連動警報を行う連動グループを構成するためのグループ符号５２が格納されている。
【００５８】
連番４８は警報器間の通信に於いてイベント信号の中継処理等を管理するためのものであるが、本発明に直接関係しないので詳細な説明を省略する。
【００５９】
送信元符号５０としては、国内に提供される住警器の何れとも同一符号として重複しないように例えば２６ビットの符号コードとし、住警器のシリアル番号等を利用している。
【００６０】
グループ符号５２は連動グループを構成する複数の住警器に共通に設定される符号であり、例えば無線通信部３０で受信した他の住警器からのイベント信号に含まれるグループ符号がメモリ３２に登録しているグループ符号５２に一致したときに、このイベント信号を有効な信号として受信して処理することになるので、近隣の住宅等に設置された、連動を要しない他のグループに属する警報器との不要な連動を回避出来る。
【００６１】
センサ部３４には、煙を検出して信号を出力する検煙部１８を設けている。センサ部３４には検煙部１８に代えて、火災による温度を検出するサーミスタ等の温度検出素子や、火災に伴うその他の物理現象変化を検出する各種素子を設けてもよい。
【００６２】
報知部３６には警報音等を出力するスピーカ５６と警報表示等を行うＬＥＤ２２が設けられている。スピーカ５６は、図示しない音声合成回路部からの音声メッセージや警報音等を、図示しない増幅部を介して出力する。ＬＥＤ２２は点滅や明滅、点灯などにより、火災などの異常その他を表示する。スピーカ５６に代えて、ブザー等を用いても良い。またＬＥＤ２２に代え、２色ＬＥＤや液晶表示器等を設けても良い。もちろん、ＬＥＤと液晶表示器を併設するなどしても良い。
【００６３】
操作部３８には警報停止スイッチ２０が設けられている。警報停止スイッチ２０は、報知部３６からスピーカ５６により火災や障害の警報音を出力しているとき又はＬＥＤ２２により警報表示を行っているときにのみ警報停止スイッチとして機能する。例えば連動元を示す警報中に警報停止スイッチ２０を操作すると、警報音及び警報表示は停止され、一方、連動先を示す警報中に警報停止スイッチ２０を操作すると、警報音は停止するが、警報表示は停止または所定時間後に停止するといった警報停止処理が行われる。
【００６４】
一方、連動元や連動先を示す警報を行っていない通常監視状態においては、警報停止スイッチ２０は点検スイッチとして機能し、この状態で警報停止スイッチ２０を操作すると、所定の自己点検動作が実行されて報知部３６から点検結果を示す音声メッセージなどが出力される。
【００６５】
なお、障害警報中に警報停止スイッチ２０が操作された場合には、所定の自己点検動作を実施して結果を報知した後に障害警報停止処理を行うようにしても良い。このようにすれば、例えばセンサ故障等を再チェックした後に障害警報停止処理が行われるので、ユーザに対し、故障状態をより明確に認知させることが出来る。そして、このとき障害状態が解消している場合には、例えば「障害は解消しました」等のメッセージを出力して、障害停止処理に移行しても良い。
【００６６】
電池電源４０は、例えば所定セル数のリチウム電池やアルカリ乾電池を使用しており、電池容量としては住警器１０−１における無線通信部３０を含む回路部全体の低消費電力化により、例えば１０年の電池寿命を保証している。
【００６７】
プロセッサ２８にはプログラムの実行により実現される機能として、イベント検出部５８、送信処理部６０、受信処理部６２、警報処理部６４、及びリモコン連携処理制御部６６の機能が設けられている。
【００６８】
イベント検出部５８は、センサ部３４による異常（ここでは火災）検出、操作部３８による警報停止や点検指示、センサ部３４の異常検出がなくなる異常復旧等のイベントを検出する。またイベント検出部５８は受信処理部６２を介して他の住警器１０−２〜１０−６及び外部リモコン装置１１から取得したイベント信号の解読結果として得られたイベント内容を検出する。
【００６９】
送信処理部６０は、イベント検出部５８によりセンサ部３４による異常検出、操作部３８による警報停止や点検指示、センサ部３４の異常検出がなくなる異常復旧等の自己のイベントを検出した時に、検出イベントを示すイベント信号を、無線通信部３０から連動先の住警器に送信させる。受信処理部６２は、他の住警器１０−２〜１０−６及び外部リモコン装置１１からのイベント信号を、無線通信部３０を介して受信解読する。
【００７０】
警報処理部６４は、イベント検出部５８で自己の異常として火災を検出した時にスピーカ５６から連動元を示す警報音を出力すると共に、ＬＥＤ２２を駆動して連動元を示す警報表示を行い、更に、火災を示すイベント信号を、送信処理部６０および送信回路４２を介してアンテナ３１から他の住警器に送信する。
【００７１】
具体的に説明すると、警報処理部６４は、センサ部３４に設けた検煙部１８の煙検出信号からイベント検出部５８で火災を検出したときに、報知部３６のスピーカ５６から連動元を示す警報音例えば「ウーウー  火事です  火事です」を繰り返し出力させると共に、ＬＥＤ２２を点灯して連動元を示す警報表示を行い、更に、火災を示すイベント信号を、送信処理部６０および無線通信部３０の送信回路４２によりアンテナ３１から他の住警器１０−２〜１０−６に向けて送信させる。
【００７２】
また警報処理部６４は、他の住警器１０−２〜１０−６のいずれかから火災を示すイベント信号を、無線通信部３０の受信回路４４により受信し、受信処理部６４で有効となったときに、報知部３６のスピーカ５６から連動先を示す警報音例えば「ウーウー  別の火災警報器が作動しました  確認してください」となる警報音を繰り返し出力させ、同時にＬＥＤ２２を点滅して連動先を示す警報表示を行う。
【００７３】
また、イベント検出部５８はセンサ障害とローバッテリー障害を検出する。センサ障害の検出は、所定の測定時間間隔Ｔ１、例えばＴ１＝１秒間隔でセンサ部３４の検煙部１６から出力される煙検出信号をＡ／Ｄ変換により読み込んでメモリ３２のバッファ領域に保持し、例えば所定の時間間隔Ｔ２＝１０分毎に、メモリ３２のバッファ領域に保持している１０分間ぶんの検出データの平均値を求め、この平均値が所定の基準レベル（零点レベルという）を下回った時に出力停止状態である等としてセンサ部１６の障害と判定する。
【００７４】
このように煙濃度検出信号の１０分間平均値が零点レベルを下回る原因は、検煙部１８に設けている受光素子の断線、受光アンプの停止などの障害が発生したことによるものである可能性が高い。なお、センサ部１６にサーミスタなどの温度検出素子等を設けた場合にも、同様にセンサ障害を検出することが出来る。
【００７５】
ローバッテリー障害の検出は、所定の測定時間間隔Ｔ３、例えばＴ３＝４時間間隔で電池電源４０の電源電圧をＡ／Ｄ変換により読み込んで所定の閾値電圧と比較し、この閾値電圧以下の時にローバッテリー障害と判定し、更にローバッテリー障害との判定が連続して所定回数続いたときにローバッテリー障害を確定する。
【００７６】
警報処理部６４は、イベント検出部５８でセンサ障害又はローバッテリー障害を検出した時に、報知部３６のスピーカ５６からの警報音とＬＥＤ２２の表示により連動元を示すセンサ障害又はローバッテリー障害警報を出力させる。また警報処理部６４は、センサ障害又はローバッテリー障害を示すイベント信号を、送信処理部６０および送信回路４２を介してアンテナ３１から他の住警器１０−２〜１０−６に送信して、当該他の住警器１０−２〜１０−６に連動先を示すセンサ障害又はローバッテリー障害警報を、警報音および／または表示により出力させる。
【００７７】
更に警報処理部６４は、受信回路４４および受信処理部６０を介して他の住警器１０−２〜１０−６の何れかからセンサ障害又はローバッテリー障害を示すイベント信号を受信した時に、報知部３６のスピーカ５６からの警報音と、ＬＥＤ２２の表示により連動先を示すセンサ障害又はローバッテリー障害警報を出力させる。
【００７８】
警報処理部６４は、イベント検出部５８でセンサ障害を検出した場合、報知部３６のスピーカ５６から連動元（障害元）を示すセンサ障害の警報音としてたとえば「ピッ  故障です」を複数回連続出力し、同時にＬＥＤ２２を例えば点灯し、その後は一定時間毎に「ピッ  故障です」の音声出力とＬＥＤ２２による表示を複数回行う処理を繰り返す。
【００７９】
また警報処理部６４は、センサ障害を示すイベント信号を他の住警器１０−２〜１０−６に送信することで、他の住警器１０−２〜１０−６に連動先を示すセンサ障害警報を出力させる。このときたとえば、スピーカ５６からの警報音として「ピッ  別の警報器が故障です」を出力させ、同時にＬＥＤ２２により連動元とは異なる点滅表示を行わせる。
【００８０】
また警報処理部６４は、イベント検出部５８でローバッテリー障害を検出した場合、報知部３６のスピーカ５６から連動元（障害元）を示すローバッテリー障害の警報音としてたとえば「ピッ  電池切れです」を複数回連続出力し、同時にＬＥＤ２２を例えば点灯し、その後は、一定時間毎に「ピッ  電池切れです」の音声出力とＬＥＤ２２による表示を複数回行う処理を繰り返す。
【００８１】
また警報処理部６４は、ローバッテリー障害を示すイベント信号を他の住警器１０−２〜１０−６に送信することで、他の住警器１０−２〜１０−６に連動先を示すローバッテリー障害警報を警報音として「ピッ  別の警報器が電池切れです」を出力させ、同時にＬＥＤ２２により連動元とは異なる点滅表示を行わせる。
【００８２】
また警報処理部６４は連動元を示す火災警報または連動先を示す火災警報の出力中に、警報停止スイッチ２０の操作を検出した時、又は他の住警器からの警報停止を示すイベント信号受信を検出した時、スピーカ５６からの音声メッセージとＬＥＤ２２の警報表示による火災警報の出力を停止する。このときはＬＥＤ２２による警報表示については、所定時間継続した後に停止しても良い。
【００８３】
また、他の住警器からの警報停止を示すイベント信号受信を検出した場合に、自己が検出している火災が復旧していないときには、自己の警報音および／または警報表示による警報出力を継続するようにしても良い。すなわち、自己の連動元としての警報出力は、自己の警報停止スイッチが操作された時または自己の火災復旧を検出した時にのみ停止するようにしても良い。
【００８４】
更に警報処理部６４は、操作部３８に設けた警報停止スイッチ２０の警報停止操作を、連動元を示す障害警報出力中に検出した場合、自己の連動元を示す警報音を停止すると共に表示を所定時間継続させた後に停止し、更に連動先を示す障害警報出力中の警報器に警報停止信号を送信して警報音と表示を停止させる。
【００８５】
リモコン連携処理部６６は、外部リモコン装置１１からインターホン通話呼出を示すイベント信号受信を検出した時に、報知部３６のスピーカ５６からインターホンの通話呼出音および／または呼出メッセージを出力させる。
【００８６】
なお、外部リモコン装置１１はインターホン通話呼出以外に、その音声報知機能に対応した適宜のイベント信号、例えば自動湯張り終了を示すイベント信号を住警器に送信することで、リモコン連携処理部６６でこのイベント信号受信を検出して対応する音声メッセージをスピーカ５６から出力するようにしても良い。
【００８７】
通常監視状態で警報停止スイッチを例えば長押し操作させることで、警報器から給湯停止することも出来る。
【００８８】
次に外部リモコン装置１１を説明する。外部リモコン装置１１は、プロセッサ７０、各種スイッチを設けた操作部７２、液晶表示器やＬＥＤ表示灯などを設けた表示部７４、スピーカ等を設けた音声報知部７６、アンテナ１１ａを設けた無線通信部７８、信号線１５を接続した有線通信部８２、マイクを備えたインターホン通話部８４で構成され、プロセッサ７０にはプログラムの実行で実現する機能としてリモコン制御部８６と警報制御部８８が設けられている。
【００８９】
なお、無線通信部７８は必ずしも外部リモコン装置１１に内蔵する必要は無く、別体に設けて外部リモコン装置１１に有線接続しても良い。
【００９０】
無線通信部７８には送信回路と受信回路が設けられ、住警器１０−１〜１０−６との間でイベント信号をアンテナ９４から無線により送受信できるようにしている。無線通信部７８としては、住警器１０−１と同様に、日本国内の場合には、例えば４００ＭＨｚ帯の特定小電力無線局の標準規格として知られたＳＴＤ−３０またはＳＴＤ−Ｔ６７に準拠した構成を備える。
【００９１】
図示しないメモリには、住警器１０−１のメモリ３２と同様に、イベント信号の順番を示す連続番号である連番、外部リモコン装置１１を特定するＩＤ（識別子）となる送信元符号、連動グループを構成するためのグループ符号が格納されている。
【００９２】
プロセッサ７０に設けたリモコン制御部８６は操作部７２に設けた各種スイッチの操作や操作による設定状態に基づき、自動湯張り、自動沸上、保温運転などの制御指示のためのイベント信号をコントローラ１３に信号線１５を介して送信し、またコントローラ１３による制御の受付や結果などに関する応答イベント信号に基づき表示部７４に湯温度や水位を含む制御情報を表示させる。
【００９３】
またリモコン制御部８６は操作部７２の操作や表示部７４の表示に連動して音声報知部７６から必要な音声メッセージやブザー音を出力させる。
【００９４】
更に、リモコン制御部８６は浴室リモコン装置１２からインターホン通話呼出を検出すると、音声報知部７６から呼出音を出力すると共にインターホン通話部８４を動作して通話接続を確立する。またリモコン制御部８６は外部リモコン装置１１から通話呼出を行う場合にも浴室リモコン装置１２との通話接続を確立する。
【００９５】
プロセッサ７０に設けた警報制御部８８は無線通信部７８により住警器１０−１〜１０−６側から火災、火災復旧又は警報停止を示すイベント信号受信を検出した時に、火災、火災復旧又は警報停止を示すイベント信号を有線通信部８２から信号線１５により浴室リモコン装置１２に送信する。
【００９６】
即ち、外部リモコン装置１１の警報制御部８８は、住警器１０−１〜１０―６のいずれかから無線で受信した火災、火災復旧又は警報停止を示すイベント信号を、浴室リモコン装置１２に有線で中継送信する。
【００９７】
また警報制御部８８はリモコン制御部８６で浴室リモコン装置１２によるインターホン通話呼出を検出した時に、インターホン通話呼出を示すイベント信号を生成し、無線通信部７８から住警器１０−１〜１０−６側に送信する。
【００９８】
次に浴室リモコン装置１２を説明する。浴室リモコン装置１２は、プロセッサ９０、各種スイッチを設けた操作部９２、液晶表示器やＬＥＤ表示灯などを設けた表示部９４、スピーカを設けた音声報知部９６、信号線１５を接続した有線通信部９８、インターホン通話部１００で構成され、プロセッサ９０にはプログラムの実行で実現する機能としてリモコン制御部１０２と異常警報部１０４が設けられている。
【００９９】
もちろん、浴室リモコン装置１２にも外部リモコン装置１１と同様に無線通信部を一体または別体に設けて、住警器１０−１〜１０−６からのイベント信号を受信して警報を行わせたり、住警器１０−１〜１０−６に警報停止信号を送信したり、浴室リモコン装置１２から直接住警器１０−１〜１０−６側にインターホン通話呼出を示すイベント信号を送信するようにしても良いが、ここでは浴室リモコン装置１２には無線通信部は設けない例について説明する。
【０１００】
プロセッサ９０に設けたリモコン制御部１０２は、外部リモコン装置１１と同様、操作部９２に設けた各種スイッチの操作や設定状態に基づき、自動湯張り、自動沸上、保温運転などの制御指示のためのイベント信号をコントローラ１３に信号線１５で送信し、またコントローラ１３による制御の受付や結果などに関する応答イベント信号に基づき表示部９２に湯温度を含む制御情報を表示させる。
【０１０１】
これらの操作指示状況や設定状態、動作状況の管理、制御情報の表示等については、外部リモコン装置１１と浴室リモコン装置１２、またコントローラ１３の間で常時整合するように、各装置で自動管理されている。
【０１０２】
またリモコン制御部１０２は操作部９２の操作や表示部９４の表示に連動して音声報知部９６から必要な音声メッセージやブザー音を出力させる。
【０１０３】
更に、リモコン制御部１０２は外部リモコン装置１１からインターホン通話呼出を検出すると、音声報知部９６から呼出音を出力すると共に、マイクを備えたインターホン通話部１００を動作して通話接続を確立する。またリモコン制御部１０２は浴室リモコン装置１２自身からの通話呼出による外部リモコン装置１１との通話接続を確立する。
【０１０４】
プロセッサ９０に設けた異常警報部１０４は有線通信部９８により外部リモコン装置１１から信号線１５を介して火災を示すイベント信号受信を検出した時に、火災警報を示す例えば「ウーウー  火災警報器が作動しました  確認してください」といった音声メッセージを出力する。この火災警報の音声メッセージと同時に表示部９４に火災警報表示を行っても良い。
【０１０５】
また異常警報部１０４は有線通信部９８により外部リモコン装置１１から信号線１５を介して火災復旧又は警報停止を示すイベント信号受信を検出した時に、火災警報の音声メッセージを停止する。なお、表示部９４の火災警報表示も停止しても良いが、火災警報表示を継続し、所定時間後に停止するようにしても良い。
【０１０６】
図４は本実施形態で連動警報に使用するイベント信号のフォーマットを示した説明図である。図４において、イベント信号４６は連番４８、送信元符号５０、グループ符号５２及びイベント符号５４で構成されている。
【０１０７】
連番４８はイベント信号の順番を示す連続番号であり、イベント信号を送信する毎に１つずつ増加させる。また、連番４８は住警器１０−１〜１０−６及び外部リモコン装置１１の各々で非同期に生成している。連番４８は警報器やリモコン装置間の、主に無線通信に於いてイベント信号の中継処理等を管理するためのものであるが、本発明に直接関係しないので詳細な説明を省略する。
【０１０８】
送信元符号５０は例えば２６ビットの符号である。グループ符号５２は例えば８ビットの符号であり、同一グループを構成する例えば図１の住警器１０−１〜１０−６及び外部リモコン装置１１につき同じグループ符号が設定されている。
【０１０９】
なおグループ符号５２としては、同一グループの住警器に同一のグループ符号を設定する以外に、予め定めたグループを構成する住警器や外部リモコン装置に共通な基準符号と、各住警器や外部リモコン装置に固有な送信元符号との演算から求めた住警器ごとに異なるグループ符号であってもよい。
【０１１０】
イベント符号５４は、火災、ガス漏れ（例えばガス複合型住警器の場合等）などのイベント内容を表す符号であり、本実施形態にあっては３ビット符号を使用しており、例えば
００１＝火災
０１０＝ガス漏れ
０１１＝警報停止
１００＝復旧
１０１＝センサ障害
１１０＝ローバッテリー障害
１１１＝インターホン呼出
としている。ここで、０００はイベント検出に伴わない、例えば定期通報に使用する。
【０１１１】
なおイベント符号４２のビット数は、４ビット、５ビットと増加させることで、更に多くのイベント内容を表すことができる。例えば、復旧のイベント符号は火災復旧と障害復旧に分けても良い。
【０１１２】
図５及び図６は図３の住警器１０−１におけるプロセッサ２８による監視処理の例を示したフローチャートである。図５において、住警器１０−１の電池電源４０による電源供給が開始されると、ステップＳ１で初期化、自己診断、禁止モード設定の有無を含む各種設定情報の読み込みを実行し、異常がなければステップＳ２に進み、火災を監視している。
【０１１３】
センサ部３４から出力された煙検出信号が所定の火災レベルを超えるとステップＳ２で火災を判別してステップＳ３に進み、連番、送信元符号、グループ符号、火災を示すイベント符号を含むイベント信号を他の住警器１０−２〜１０−６および外部リモコン装置１１に無線送信した後、ステップＳ４でスピーカ５６からの警報音とＬＥＤ２２の点灯による警報表示とにより連動元を示す火災警報を出力する。
【０１１４】
続いて、ステップＳ５でセンサ部３４からの煙検出信号が低下して火災状態が解消する火災復旧の有無を判別しており、火災復旧を判別するとステップＳ６で連番、送信元符号、グループ符号、火災復旧を示すイベント符号を含むイベント信号を他の住警器や外部リモコン装置に送信した後、ステップＳ７でスピーカ５６からの警報音とＬＥＤ２２の点灯による警報表示とによる連動元を示す火災警報を停止する。
【０１１５】
続いてステップＳ８で警報停止スイッチ２０の操作の有無を判別し、スイッチ操作が判別されるとステップＳ９で警報中の有無を判別する。ステップＳ９で警報中が判別されると、ステップＳ１０に進んで連番、送信元符号、グループ符号、警報停止を示すイベント符号を含むイベント信号を他の住警器や外部リモコン装置に送信し、ステップＳ１１に進んで連動元を示すスピーカ５６からの警報音を停止し、ＬＥＤ２２の点灯による警報表示を消灯する。なお、ステップＳ７、ステップＳ１０で、ＬＥＤ２２の表示は所定時間経過後に消灯しても良い。
【０１１６】
続いて図６のステップＳ１２に進み、他の住警器からの火災を示すイベント信号受信の有無を判別している。他の住警器からの火災を示すイベント信号受信を判別すると、ステップＳ１３に進んで連動先を示す火災警報としてスピーカ５６からの警報音とＬＥＤ２２の点滅による警報表示を行う。
【０１１７】
次にステップＳ１４で他の住警器からの火災復旧を示すイベント信号受信の有無を判別しており、火災復旧を示すイベント信号を受信すると、ステップＳ１５に進んで連動先の警報として行っているスピーカ５６からの警報音とＬＥＤ２２の点滅による警報表示を停止する。
【０１１８】
次にステップＳ１６で他の住警器からの警報停止を示すイベント信号受信の有無をチェックしており、警報停止を示すイベント信号の受信を判別すると、ステップＳ１７に進んで警報中の有無を判別し、警報中を判別するとステップＳ１８に進んで連動先の警報音を停止し、警報表示も停止させる。
【０１１９】
ステップＳ１５、ステップＳ１８の警報表示停止は所定時間の経過後に行うようにしても良い。
【０１２０】
続いてステップＳ１９で外部リモコン装置１１からのインターホン呼出を示すイベント信号受信の有無を判別しており、インターホン呼出を示すイベント信号受信を判別するとステップＳ２０に進み、インターホン呼出音または呼出メッセージを報知部３６のスピーカ５６から出力し、同時にＬＥＤ２２を点灯する。
【０１２１】
なお、住警器１０−１は他の住警器１０−２〜１０−６の何れかまたはリモコン装置１１から各イベント信号を受信した際に、更に他の住警器やリモコン装置へ当該イベント信号を中継送信する機能を有するが、ここでは説明を省略する。
【０１２２】
図７は図３に示した外部リモコン装置１１のプロセッサ７０による処理例を示したフローチャートである。ここで、外部リモコン装置１１と浴室リモコン装置１２の電源オンオフは連動するようになっている。
【０１２３】
図７において、外部リモコン装置１１の電源を投入するとステップＳ２１で所定項目の初期化及び自己診断を実行し、前回までの設定情報を読み出して再設定したり浴室リモコン装置１２との状態整合を取るなどの処理を実行して、異常がなければステップＳ２２に進み、操作部７２のスイッチ操作の有無を判別する。
【０１２４】
ステップＳ２２でスイッチ操作が判別されるとステップＳ２３に進み、スイッチ操作に応じたイベント信号を浴室リモコン装置１２または制御装置としてのコントローラ１３に有線送信する。
【０１２５】
浴室リモコン装置１２へ送信する場合には、これを受信した浴室リモコン装置がコントローラ１３に対して同様の信号を送信することになる。以下では、コントローラ１３に直接有線送信するものとするが、この場合でも、外部リモコン装置１１および浴室リモコン装置１２は少なくともコントローラ１３からの応答信号を受けて、制御状況を把握整合する必要がある。
【０１２６】
またステップＳ２４でステップＳ２２のスイッチ操作やこれに伴う応答などの表示要求の有無を判別し、表示要求を判別するとステップＳ２５に進み、表示部７４に表示を行う。このとき表示内容に対応して音声報知部７６から設定された機能などの音声メッセージを出力する。なお、このような表示要求による表示はスイッチ操作やその応答などに伴い感覚的には同時に行われる。
【０１２７】
続いてステップＳ２６で住警器からのイベント信号受信の有無を判別しており、イベント信号受信を判別するとステップＳ２７で必要に応じ受信したイベント信号に対応する自己の報知出力や報知出力停止処理等を行った上、当該イベント信号を浴室リモコン装置１２に有線送信する。また、外部リモコン装置１１は、他の住警器やリモコン装置へも当該イベント信号を無線によって中継送信する機能を有するが、ここでは説明を省略する。
【０１２８】
本実施の形態に於いては、ステップＳ２６，Ｓ２７で受信して自己で対応処理し、浴室リモコン装置１２に送信するイベント信号は、火災、火災復旧または警報停止を示す３種のイベント信号だけであり、それ以外の内容のイベント信号を住警器から受信しても、浴室リモコン装置１２に送信せず、何の処理も行わないが、必要に応じて他のイベントを処理、送信するようにしても良い。また、自己に於いては報知や報知停止等の処理を行わずに、イベント信号の送信のみを行うようにしても良く、またその逆であっても良い。もちろん、イベントの種類に応じてそれらを複合させても良い。
【０１２９】
このようなステップＳ２２〜Ｓ３０の処理をステップＳ３０で電源オフに伴う停止指示が判別されるまで繰り返す。なお、ステップＳ３０で電源オフに伴う停止指示があった場合には、所定の設定情報等を記憶保持するなどして、次回電源投入後に読み出せるようにしてから処理を停止する（図示省略）。
【０１３０】
図８は図３に示した浴室リモコン装置１２のプロセッサ９０による処理例を示したフローチャートである。図８において、浴室リモコン装置１２の電源を投入するとステップＳ３１で所定項目の初期化及び自己診断を実行し、前回までの設定情報を読み出して再設定したり外部リモコン装置１１との状態整合を取るなどの処理を実行して、異常がなければステップＳ３２に進み、操作部９２のスイッチ操作の有無を判別する。
【０１３１】
ステップＳ３２でスイッチ操作が判別されるとステップＳ３３に進み、スイッチ操作に応じたイベント信号を、本実施の形態では制御装置としてのコントローラ１３に有線送信する。そして、外部リモコン装置１１および浴室リモコン装置１２は、コントローラ１３からの応答信号を受信することで互いの状態把握整合を図ることが出来る。
【０１３２】
続いてステップＳ３４でステップＳ３２のスイッチ操作やこれに伴う応答などの表示要求の有無を判別し、表示要求を判別するとステップＳ３５に進み、表示部９４に表示を行う。このとき表示内容に対応して音声報知部９６から設定された機能などの音声メッセージを出力する。
【０１３３】
続いてステップＳ３６で外部リモコン装置１１からの火災を示すイベント信号受信の有無を判別しており、火災を示すイベント信号受信を判別するとステップＳ３７で火災警報を示す音声メッセージを出力する。必要に応じて表示によっても警報を出力する。
【０１３４】
続いてステップＳ３８で外部リモコン装置１１からの警報停止または火災復旧を示すイベント信号受信の有無を判別しており、警報停止または火災復旧を示すイベント信号受信を判別し、更にステップＳ３９で警報中を判別すると、ステップＳ４０で火災警報を停止する。
【０１３５】
このようなステップＳ３２〜Ｓ４０の処理をステップＳ４１で電源オフに伴う停止指示が判別されるまで繰り返す。なお、ステップＳ４１で電源オフに伴う停止指示があった場合には、所定の設定情報等を記憶保持するなどして、次回電源投入後に読み出せるようにしてから処理を停止する（図示省略）。
【０１３６】
図９は本発明による防災システムの他の実施形態を示した説明図である。図９の実施形態にあっては、図１の浴室設備に、サブリモコン装置１１０−１，１１０−２を居間と寝室に設置し、それぞれ信号線１５に接続するようにしている。サブリモコン装置１１０−１，１１０−２は記の実施形態で説明した外部リモコン装置１１と基本的に同じ機能を備えている。
【０１３７】
即ちサブリモコン装置１１０−１，１１０−２は、外部リモコン装置１１及び浴室リモコン装置１２と共に信号線１５によりコントローラ（制御装置）１３に接続され、スイッチ操作や操作による設定状態などに基づいて自動湯張り機能、自動沸上機能、保温運転などを実行する。
【０１３８】
またサブリモコン装置１１０−１，１１０−２には設定状況や機能実行状況その他必要な情報を音声により報知する音声報知機能や表示報知機能、浴室リモコン装置１２との間でインターホンによる呼出通話を行うインターホン機能なども補助機能として設けられている。なお、浴室リモコン装置１２からのインターホン呼出は外部リモコン装置１１及びサブリモコン装置１１０−１，１１０−２で一斉に行われる。
【０１３９】
またサブリモコン装置１１０−１，１１０−２は住警器１０−１〜１０−６からのイベント信号をアンテナ１１ａにより無線受信し、火災や火災復旧、警報停止を示すイベント信号受信を検出した時に浴室リモコン装置１２に受信したイベントの内容を示すイベント信号を送信する（中継送信）。また、必要に応じて他の住警器やリモコン装置に対しても中継送信する。
【０１４０】
なお、図９ではサブリモコン装置１１０−１および１１０−２を外部リモコン装置１１に有線接続しているが、有線接続せず無線通信を使用しても良い。
【０１４１】
また、外部リモコン装置１１は警報器１０−１〜１０−６やサブリモコン装置１１０−１，１１０−２の何れかからの火災復旧又は警報停止を示すイベント信号受信を検出した時には火災復旧又は警報停止を示すイベント信号を浴室リモコン装置１２に送信し、火災警報を停止させる。
【０１４２】
この場合、外部リモコン装置１１及びサブリモコン装置１１０−１，１１０−２で同時に火災を示すイベント信号が受信され、同時に浴室リモコン装置１２に信号線送信すると信号衝突を生ずることから、例えばサブリモコン装置１１０−１，１１０−２側に異なる遅延時間を設定して浴室リモコン装置１２に送信する。他にも、浴室リモコン装置１２と他のリモコン装置との通信に所定の手順を設けることでて信号の衝突を避けることが出来る。
【０１４３】
また浴室リモコン装置１２は、外部リモコン装置１１及びサブリモコン装置１１０−１，１１０−２から少なくとも有線で火災を示すイベント信号を受信するようになるが、最初に受信したイベント信号に基づき火災警報を行い、それ以降火災復旧または警報停止を示すイベント信号受信により状態が変化するまでは、続けて火災を示すイベント信号を受信しても何も行わない。この点は火災復旧又は警報停止を示すイベント信号についても同様である。
【０１４４】
このように、外部リモコン装置１１に加えサブリモコン装置１１０−１，１１０−２を設置することで、住宅２４内の複数の場所から防災システムを操作することができ、また住警器１０−１〜１０−６からの火災に伴うイベント信号を確実に受信して浴室リモコン装置１２で火災警報を出すことができる。
【０１４５】
なお、住警器１０−１〜１０−６と同じ場所にリモコン装置が設置されていて浴室リモコン装置１２からインターホン呼出を検出した時にイベント信号の無線送信により住警器１０−１〜１０−６からインターホン呼出を行う機能を設ける場合は、サブリモコン装置１１０−１，１１０−２には設けなくても良い。
【０１４６】
若しくは、このような場所に設置されている住警器側のインターホン呼出連動機能を停止させるようにして、リモコン装置側のインターホン呼出及び通話機能を活かすようにしても良く、住警器、サブリモコン装置、また外部リモコン装置においてもインターホン呼出連動機能の有効／無効を選択する選択部を設けるなどして適宜変更できるようにしても良い。
【０１４７】
インターホン呼出だけでなく、火災警報についても同様に同じ場所での重複出力を避けるようにすることが出来るが、緊急警報であるのでこれは重複出力を許可するようにしても良い。
【０１４８】
このようにすることで、同じ場所に設置された住警器やリモコン装置から、不要な重複報知を避けることが出来、利用者の混乱を避けることが得きると共に、特に住警器やサブリモコン装置が電池駆動式である場合には電池寿命を伸長できるといった効果が得られる。
【０１４９】
図１０は本発明による防災システムの他の実施形態を示した説明図であり、この実施形態にあっては、浴室リモコン装置１２で住警器１０−１〜１０−６からの火災を示すイベント信号を直接受信して警報するようにしたことを特徴とする。外部リモコン装置１１との通信も無線で行うようにすることが出来るが、ここでは浴室リモコン装置１２と外部リモコン装置１１は前述の各実施の形態同様、有線で行う場合を例にとって説明する。
【０１５０】
図１０において、浴室に設置した浴室リモコン装置１２は住警器１０−１〜１０−６からのイベント信号をアンテナ１２ａにより無線受信し、火災を示すイベント信号受信を検出した時に火災警報を示す音声メッセージを出力する。必要に応じて表示によっても警報を行う。
【０１５１】
具体的には図３に示した浴室リモコン装置１２に一体または別体に無線通信部を設けて住警器側とイベント信号を無線により送受信できるようにする。なお、外部リモコン装置１１の無線通信部７８は除いても良い。
【０１５２】
無線通信部として例えば４００ＭＨｚ帯の特定小電力無線局の標準規格として知られたＳＴＤ−３０またはＳＴＤ−Ｔ６７に準拠した構成を備えることで、浴室内であっても浴室内に設置した住警器１０−１〜１０−６との直接通信ができる。
【０１５３】
ここで浴室リモコン装置１２は一般的に電波の届きにくい浴室内に設置しているが、この問題点は設置段階で例えば住警器を含めた配置関係を調整したり、他の中継装置を配置したりすることでも解消することが出来る。
【０１５４】
図１１は本発明による防災システムの他の実施形態を示した説明図であり、この実施形態にあっては、図１の実施形態に、警報装置として更に緊急地震速報装置を設け、浴室設備の浴室リモコン装置と連携させるようにしたことを特徴とする。
【０１５５】
図１１において、住宅内には外部リモコン装置１１と浴室リモコン装置１２を含む浴室設備が連動型の住警器１０−１〜１０−６と共に設けられ、住警器１０−１〜１０−６で火災を検出して警報した時に、外部リモコン装置１１や浴室リモコン装置１２からも火災警報を出力するようにしている。
【０１５６】
これに加え居間には緊急地震速報装置１２０が設置される。緊急地震速報装置１２０は、ＦＭアンテナ１２０ｂにより受信しているＦＭ放送から緊急地震速報信号を検出して再生出力する。ＦＭ放送による緊急地震速報は「（チャイム音２回）緊急地震速報です。強い揺れに警戒してください。」を２回繰り返す。
【０１５７】
緊急地震速報装置１２０は、最初のチャイム音の信号を解析して緊急地震速報信号の受信を検出して受信待機状態から再生動作に切り替わり、自己に設けられているスピーカから「緊急地震速報です。強い揺れに警戒してください。」を充分に大きな設定音量で出力させる。
【０１５８】
また緊急地震速報装置１２０は緊急地震速報信号の受信を検出すると、緊急地震速報を示すイベント信号をアンテナ１２０ａから住警器１０−１〜１０−６及び外部リモコン装置１１に無線送信し、住警器１０−１〜１０−６で緊急地震速報を示す「緊急地震速報です。強い揺れに警戒してください。」のような音声メッセージを出力させ、同時に外部リモコン装置１１で緊急地震速報を示すイベント信号を受信して浴室リモコン装置１２に送り、浴室リモコン装置１２からも緊急地震速報を示す「緊急地震速報です。強い揺れに警戒してください。」のような音声メッセージを出力させる。
【０１５９】
このように浴室リモコン装置１２から所定規模異常の地震発生を知らせる緊急地震速報が出力されることで、入浴中であっても、地震による大きな揺れに備えた行動を迅速且つ適切にとることが可能となる。
【０１６０】
なお、図１１の緊急地震速報装置１２０を住警器１０−１〜１０−６と共に防災システムに連携させる実施形態は、図１０に示した浴室リモコン装置１２でイベント信号を直接受信できるようにした実施形態についても同様に適用できる。
【０１６１】
また、緊急地震速報装置１２０は、例えば外部リモコン装置に直接有線接続しても良いが、ここでは有線に依らず無線通信を使用するものとする。
【０１６２】
図１２は図１１に設けた緊急地震速報装置１２０の実施形態を示したブロック図である。図１２において、緊急地震速報装置１２０は、プロセッサ１２２、ＦＭ受信部１２４、音声増幅部１２６、スピーカ１２８、表示部１３０、操作部１３２、メモリ１３４、無線通信部１３６で構成され、プロセッサ１２２にはプログラムの実行で実現する機能として緊急地震速報解析部１４０、イベント検出部１４２及び送信処理部１４４が設けられている。
【０１６３】
ＦＭ受信部１２４は操作部１３２の操作で選局したＦＭ局にチューナを同調してその放送電波を受信し、音声信号として復調して出力している。音声増幅部１２６は待機状態では動作を停止しており、そのためスピーカ１２８から受信されたＦＭ放送の再生出力は行われない。
【０１６４】
プロセッサ１２２の緊急地震速報解析部１４０での解析処理により緊急地震速報信号が検出されると音声増幅部１２６が動作状態に切り替えられ、その時、ＦＭ受信部１２４から復調出力された緊急地震速報の放送内容をスピーカ１２８から再生出力する。表示部１３０は待機受信表示、緊急地震速報受信表示、選局周波数表示などのＦＭ放送受信に必要な表示を行う。
【０１６５】
無線通信部１３６には少なくとも送信回路１３８が設けられ、住警器１０−１〜１０−６にイベント信号をアンテナ１２０ａから無線により送信できるようにしている。無線通信部１３６としては、住警器１０−１と同様に、日本国内の場合には、例えば４００ＭＨｚ帯の特定小電力無線局の標準規格として知られたＳＴＤ−３０またはＳＴＤ−Ｔ６７に準拠した構成を備える。
【０１６６】
メモリ１３４には、住警器１０−１のメモリ３２と同様に、イベント信号の順番を示す連続番号である連番、緊急地震速報装置１２０を特定するＩＤ（識別子）となる送信元符号、連動グループを構成するためのグループ符号が格納されている。
【０１６７】
プロセッサ１２２に設けた緊急地震速報解析部１４０は、緊急地震速報の最初に流れる２回のチャイム音を復調再生した放送音声信号の解析処理により緊急地震速報信号の受信を検出し、音声増幅部１２６を所定時間動作して緊急地震速報の再生出力をスピーカ１２８から行わせる。緊急地震速報解析部１４０による緊急地震速報のチャイム音の解析は、例えば特許文献５に記載されたベクトル相関法などで行う。
【０１６８】
プロセッサ１２２に設けたイベント検出部１４２は緊急地震速報解析部１４０による緊急地震速報受信をイベントとして検出し、住警器１０−１〜１０−６及び外部リモコン装置１１側に緊急地震速報を示すイベント信号を送信し、緊急地震速報を示す情報を出力させる。
【０１６９】
外部リモコン装置１１は、これを受けて浴室リモコン装置１２および／またはコントローラ１３に対して緊急地震速報を示す信号を送信することになる。緊急地震速報装置１２０の電源は商用ＡＣ電源であるが、停電時のバックアップのために電池電源を設けても良いし、電池電源のみで動作するものとしても良い。
【０１７０】
図１３は図１２に示した緊急地震速報装置１２０の処理例を示したフローチャートである。図１３において、電源を投入するとステップＳ５１で初期化及び自己診断等を行い、エラーが無ければステップＳ５２に進んで操作部１３２の選局操作によりＦＭ局の選局処理を行う。
【０１７１】
続いてステップＳ５３の受信待機動作に移行する。受信待機動作はＦＭ受信部１２４を動作してＦＭ放送電波を受信再生しているが、音声増幅部１２６の動作は停止してスピーカ１２８から放送を流していない状態である。
【０１７２】
続いてステップＳ５４で緊急地震速報のチャイム音受信の有無を緊急地震速報解析部１４０の解析処理を通じて判別しており、チャイム音受信を判別するとステップＳ５５に進み、音声増幅部１２６を動作することで、そのとき受信している緊急地震速報の放送をスピーカ１２８から充分に大きな設定音量で流す。これと併せて、各種の表示により緊急地震速報受信の事実を報知するようにすることが出来る。
【０１７３】
次にステップＳ５６に進み、図４のフォーマットに従った緊急地震速報の試験を示すイベント信号を生成して住警器側に無線送信する。この場合のイベント符号は４ビットとし、例えば「１０００」で緊急地震速報を表すようにする。
【０１７４】
続いてステップ５７で所定時間の経過を待ってステップＳ５８に進み、音声増幅部１２６の動作を停止することで、放送音の再生を停止する。以上の処理をステップＳ５９で電源オフによる停止指示が判別されるまで繰り返す。
【０１７５】
図１４は本発明による防災システムの他の実施形態を示した説明図であり、この実施形態にあっては、連動型の住警器との連携は行わず、緊急地震速報装置を浴室設備と連携させるようにしたことを特徴とする。
【０１７６】
図１４において、住宅内には外部リモコン装置１１と浴室リモコン装置１２を含む浴室設備が設けられ、居間には緊急地震速報装置１２０が設置されている。また台所には無線による連動機能を持たないスタンドアローン型の住警器１５０が設置されており、火災を検出すると火災警報を示す音声メッセージを出力する。
【０１７７】
緊急地震速報装置１２０はＦＭアンテナ１０２ｂにより受信しているＦＭ放送の緊急地震速報における最初のチャイム音の信号を解析して緊急地震速報信号の受信を検出し、受信待機状態から再生動作に切り替わり、「緊急地震速報です。強い揺れに警戒してください。」をスピーカ１２８から充分大きな設定音量で出力させる。
【０１７８】
また緊急地震速報装置１２０は緊急地震速報信号の受信を検出すると、緊急地震速報を示すイベント信号をアンテナ１２０ａから外部リモコン装置１１に無線送信し、外部リモコン装置１１で緊急地震速報を示すイベント信号を受信して浴室リモコン装置１２に送り、浴室リモコン装置１２からも緊急地震速報を示す「緊急地震速報です。強い揺れに警戒してください。」のような音声メッセージを出力させる。
【０１７９】
このように緊急地震速報装置１２０との連携により浴室リモコン装置１２から大地震の発生を知らせる緊急地震速報が出力されることで、入浴中であっても、地震による大きな揺れに備えた行動をとることが可能となる。
【０１８０】
図１４の緊急地震速報装置１２０のみを防災システムに連携させる実施形態は、図１０に示した浴室リモコン装置１２でイベント信号を直接受信できるようにした実施形態についても同様に適用できる。
【０１８１】
なお、緊急地震速報装置１２０に無線または有線の受信回路を付加して、住警器からの無線によるイベント信号または有線による移報信号を受信させて、緊急地震速報装置からも音響や表示によって火災警報を出力させることが出来る。
【０１８２】
また、緊急地震速報装置の操作部１３２に住警器の警報停止スイッチを設けたり、外部リモコン装置や浴室リモコン装置の制御スイッチを設けることで、緊急地震速報装置から住警器の警報を停止したり、給湯の開始／停止を指示したりすることが出来る。このようにすれば、使い勝手が向上する。
【０１８３】
また、住警器１０−１〜１０−６の何れかが有線の移報機能を備えている場合には、その住警器から移報信号線を外部リモコン装置１１の有線通信部８２に接続して、警報制御部８８によって表示部７４や音声報知部７６から警報出力させたり、浴室リモコン装置１２へ中継送信させて異常警報部１０４によって表示部９４や音声報知部９６で警報出力させることも出来る。
【０１８４】
同様に、住警器の有線による移報出力を直接浴室リモコン装置１２の有線通信部９８に送信して警報させるようにすることも出来る。
【０１８５】
また、浴室リモコン装置１２は、住警器または外部リモコン装置１１、緊急地震速報装置１２０から火災や地震発生のイベント信号を受信した時には、コントローラ１３に対して、ガス燃焼を停止させたりガス供給を遮断させたりといった、安全措置を行わせるようにすることも出来る。
【０１８６】
この際、何れかの住警器または住警器やリモコン装置と別体に設けられた無線通信部７８等からの有線による移報信号を、コントローラ１３に直接接続し、コントローラ１３側で当該移報信号を直接受信し、コントローラ１３の制御部で処理するようにしても良い。このような構成によれば、火災等の異常発生時に、安全性が向上する。
【０１８７】
また、外部リモコン装置１１および浴室リモコン装置１２は、住警器または緊急地震速報装置１２０から火災や地震発生のイベント信号を受信した時には、強制的に他のリモコン装置とのインターホン通話を確立するようにしても良い。このようにすれば、火災等の異常発生時に、利用者の対処を支援することとなり、安全性が更に向上する。
【０１８８】
また、外部リモコン装置１１や浴室リモコン１２、緊急地震速報装置１２０の操作部には、住警器や緊急地震速報装置の警報を停止する警報停止スイッチ等を設けることが出来る。このとき外部リモコン装置１１や浴室リモコン装置１２は、有線や無線を使用して警報停止を示すイベント信号を他のリモコン装置や住警器、緊急地震速報装置に送信する。
【０１８９】
このように送信された警報停止を示すイベント信号は、他のリモコン装置や住警器、緊急地震速報装置で更に中継送信するようにしても良い。このような構成によれば、住警器だけでなくリモコン装置からも住警器や緊急地震速報装置の警報を停止させることが出来、使い勝手が向上する。
【０１９０】
また、異常検出元（連動元）の住警器は、他の装置からの警報停止信号受信によっては警報停止を行わず、自己の警報停止操作を検出した時のみ警報を停止するようにするのが望ましい。このようにすれば、利用者が異常検出元の装置を確認して当該住警器で警報停止操作を行ったときのみ警報が停止されるので、異常検出元を確認する前に警報が停止されてしまうことを防止できる。
【０１９１】
また、住警器の通常監視状態や緊急地震速報装置の通常状態で警報停止スイッチ２０を例えば長押し等による押分操作をしたり、操作部１３２の操作部１３２のスイッチを操作することで、住警器から給湯開始や停止が出来るようにすることも出来る。このようにすれば、浴室外の、外部リモコン装置から離れた場所に居ても、住警器や緊急地震速報装置が設置されている場所から給湯開始や停止が行えるので、使い勝手が良い。
【０１９２】
また、上記の実施形態はインターホン通話機能を備えた浴室設備を例にとっているが、インターホン通話機能を持たない浴室設備であっても良い。例えば、インターホン通話機能を持たず、呼出機能のみを有するものであっても良い。
【０１９３】
また、上記の実施例では複数の住警器を連動させて警報するシステムを例にとるものであったが、住警器を一台とすることを妨げるものではない。同様に、リモコン装置は、少なくとも浴室に一台設置されていれば良い。
【０１９４】
また、無線通信や有線通信の使い分けについては、上記実施の形態で説明したものと異なる組み合わせを採用しても良い。
【０１９５】
また、上記の実施形態は、警報装置として、火災を検出して警報する住警器や緊急地震速報装置を例にとるものであったが、ガス漏れ警報器、ＣＯ警報器、各種の防犯用警報器を、またそれらを混在させて配置した警報システムについても同様に防災システムと連携させることができる。また、警報装置同様に、玄関インターホン等も適用できる。
【０１９６】
また上記の実施形態におけるフローチャートは処理の概略例を説明したもので、処理の順番等はこれに限定されない。また各処理や処理と処理の間に必要に応じて遅延時間を設けたり、他の判定を挿入する等が出来る。
【０１９７】
また上記の実施形態で述べた「受信がある」、「受信が無い」、「受信した場合」、「受信を判別」等は、受信した信号が有効なものとして認識されたか否かの判定も含んでいる。
【０１９８】
また、警報器の規格等によっては、上記実施形態のＬＥＤによる表示が「警報」と認められない場合があるが、本発明では規格上「警報」に含まれるか否かに関わらず、警報表示、警報に伴う表示、または単に表示として記載している。本発明の目的を達成できるものであれば、どのような表示手段を用いても構わない。そして、表示部は警報器と別体に設けられていても良い。
【０１９９】
また、上記の実施形態では、電池電源によって動作する住警器を例に取ったが、電池電源以外の電源で動作するものにも本発明を適用できる。
【０２００】
また、上記の実施形態は住宅用に限らず、ビルやオフィス用など各種用途の警報器を防災システムに連携させることができる。
【０２０１】
また、上記の実施形態は警報器にセンサ部と警報出力処理部を一体に設けた場合を例にとるが、他の実施形態として、センサ部と警報出力処理部を別体とした警報器であっても良い。
【０２０２】
また本発明は上記の実施形態に限定されず、その目的と利点を損なうことのない適宜の変形を含み、更に上記の実施形態に示した数値による限定は受けない。
【符号の説明】
【０２０３】
１０，１０−１〜１０−６：住警器
１１：外部リモコン装置
１１ａ，３１，１１０ａ，１２０ａ：アンテナ
１２：浴室リモコン装置
１３：コントローラ
１４：給湯器
１５：信号線
１６：カバー
１７：本体
１８：検煙部
１９：音響孔
２１：取付フック
２０：警報停止スイッチ
２２：ＬＥＤ
２４：住宅
２８，７０，９０，１２２：プロセッサ
３０，７８，９８，１３６：無線通信部
３２，１３４：メモリ
３４：センサ部
３６：報知部
３８，７２，９２，１３２：操作部
４０：電池電源
４２，１３８：送信回路
４４：受信回路
４６：イベント信号
４８：連番
５０：送信元符号
５２：グループ符号
５４：イベント符号
５６：：スピーカ
５８，１４２：イベント検出部
６０，１４４：送信処理部
６４：警報処理部
６６：リモコン連携処理部
８２，９８：有線通信部
８４，１００：インターホン通話部
８６，１０２：リモコン制御部
８８：警報制御部
１０４：異常警報部
１１０−１，１１０−２：サブリモコン装置
１２０：緊急地震速報装置
１２０ｂ：ＦＭアンテナ
１２４：ＦＭ受信部
１４０：緊急地震速報解析部
【図１】
0005524638.tif 000002
【図２】
0005524638.tif 000003
【図３】
0005524638.tif 000004
【図４】
0005524638.tif 000005
【図５】
0005524638.tif 000006
【図６】
0005524638.tif 000007
【図７】
0005524638.tif 000008
【図８】
0005524638.tif 000009
【図９】
0005524638.tif 000010
【図１０】
0005524638.tif 000011
【図１１】
0005524638.tif 000012
【図１２】
0005524638.tif 000013
【図１３】
0005524638.tif 000014
【図１４】
0005524638.tif 000015